(57)【要約】【課題】製品を軽量化しながら曲げ強度を強化させることができる建築用安全足場を提供する。【解決手段】本発明は建築用安全足場に関するもので、アルミニウムからなった前後フレーム（１４）の結合溝（１２）の間に纎維強化プラスチックからなった複数の足場部材（１８）を係合溝（２８）及び係合片（３０）の係合状態で結合し、フック（２２）とともにフレーム（１４）にボルト（４０）で連結固定し、また両側の足場部材（１８）の外側には遮断板（２０）を連結構成することにより、製品を軽量化するとともに、使用時に撓みによる不安感をなくし、また落下物などによって大きな衝撃が加わっても足場部材（１８）の連結部の広がり又は破損なしに安全に使えるようにしたものである。【選択図】  図３
2020190171.tif 000002
【特許請求の範囲】
【請求項１】
内側に長手方向に結合溝（１２）が形成された一対の前後フレーム（１４）と、
前記前後フレーム（１４）を左右に並んで連結して固定する複数の連結具（１６）と、
前後フレーム（１４）の結合溝（１２）の間に結合固定される複数の足場部材（１８）と、
前後フレーム（１４）に結合された複数の足場部材（１８）のうち両側の足場部材（１８）の外側に連結固定される遮断板（２０）と、
前後フレーム（１４）の両端部に連結固定されるフック（２２）とを含んでなる、建築用安全足場。
【請求項２】
前記前後フレーム（１４）及び前後フレーム（１４）の間に連結固定される複数の連結具（１６）はアルミニウムからなり、前後フレーム（１４）の間に複数の連結具（１６）がボルト（２４）及びナット（２６）で連結固定されるように構成される、請求項１に記載の建築用安全足場。
【請求項３】
前記足場部材（１８）はそれぞれ強化プラスチックからなり、左右の足場部材（１８）間の係合溝（２８）及び係合片（３０）による係合状態で前後フレーム（１４）の結合溝（１２）の間に結合固定されるように構成される、請求項１に記載の建築用安全足場。
【発明の詳細な説明】
【技術分野】
【０００１】
本発明は建築用安全足場に係り、より詳しくは製品を軽量化しながら曲げ強度を強化することができる建築用安全足場に関する。
【背景技術】
【０００２】
一般に、建築工事又は土木工事などの各種の高空作業時には棒と安全足場などからなって作業者の移動通路及び作業空間を確保するための足場を必要とする。このような建築用安全足場の場合、強度増大のために金属材から製作する場合は生産性の低下をもたらし、特に重さが重くて足場の設置及び解体の作業時に多くの困難が伴うのはもちろんのこと、著しい作業能率の低下をもたらすことになる。
【０００３】
したがって、建築用として要求される強度を満たすとともに軽量化することができる建築用安全足場に対して既に韓国特許登録第１０−１７６３１７８号を提案したことがあるが、これは軽量の繊維強化プラスチックからなった複数の足場部材を単純に一字形連結具と十字形連結具で左右に長く連結して形成するように構成されるので、軽量化は満たすことができると言えるが、プラスチックが有する特性上撓みに弱くて使用時に不安感を引き起こし、かつ落下物などによって大きな衝撃が加わるとき、足場部材の各連結部が広がるか破損されて安全事故を引き起こすおそれがあるなどの問題点があるものである。
【先行技術文献】
【特許文献】
【０００４】
【特許文献１】韓国特許登録第１０−１７６３１７８号公報
【発明の概要】
【発明が解決しようとする課題】
【０００５】
本発明の目的は製品を軽量化しながら曲げ強度を強化させることができる建築用安全足場を提供することにある。
【課題を解決するための手段】
【０００６】
前述した目的達成のための本発明の建築用安全足場は、複数の連結具によって左右に並んで連結固定された前後フレームの結合溝の間に纎維強化プラスチックからなった複数の足場部材を係合溝及び係合片の係合状態で結合し、フックとともにフレームにボルトで連結固定し、また両側の足場部材の外側には遮断板を連結固定して構成することを特徴とする。
【発明の効果】
【０００７】
本発明による建築用安全足場は、アルミニウムからなった前後フレームの結合溝の間に纎維強化プラスチックからなった複数の足場部材が係合溝及び係合片の係合状態で結合固定され、また足場部材の各連結部は前後フレームを連結する連結具が支えて補強するので、製品を軽量化するとともに、使用時に撓みによる不安感をなくすことができ、また落下物などによって大きな衝撃が加わっても足場部材の各連結部が広がるか破損されるおそれがなくて安全事故を防止することができるなどの効果があるものである。
【図面の簡単な説明】
【０００８】
【図１】本発明の斜視図である。
【図２】本発明の底面斜視図である。
【図３】本発明の一部分解斜視図である。
【図４】本発明に用いられるフレームと連結具の一部分解斜視図である。
【図５】本発明に用いられる足場部材の斜視図である。
【図６】本発明に用いられる足場部材の底面斜視図である。
【図７】本発明に用いられる遮断板の斜視図である。
【発明を実施するための形態】
【０００９】
以下、本発明の好適な実施例を添付図面に基づいて詳細に説明する。ただ、図面において同じ構成要素はなるべく同じ符号で示し、関連した公知の技術又は機能についての具体的な説明は本発明の要旨をあいまいにしないようにするために省略する。
【００１０】
図１は本発明の斜視図、図２は本発明の底面斜視図、図３は本発明の一部分解斜視図である。本発明の建築用安全足場１０は、内側に長手方向に結合溝１２が形成された一対のフレーム１４を複数の連結具１６で左右に並んで連結して固定し、前後フレーム１４の結合溝１２の間には複数の足場部材１８を結合して固定し、前後フレーム１４の間に結合された複数の足場部材１８のうち両側の足場部材１８の外側にはそれぞれ遮断板２０を連結して固定し、前後フレーム１４の両端部にはフック２２を連結して固定することによって構成する。
【００１１】
図４は本発明に用いられるフレームと連結具の一部分解斜視図である。前後フレーム１４及び複数の連結具１６は軽量化のためにアルミニウムから製作した後、前後フレーム１４の間に複数の連結具１６をボルト２４及びナット２６で連結固定して前後フレーム１４を左右に並んで形成するように構成される。ここで、各連結具１６は前後フレーム１４の間に結合された足場部材１８の各連結部の下方に位置するようにして、足場部材１８の結合時、足場部材１８の各連結部を支える支持機能を兼ねるようにすることが好ましい。
【００１２】
図５は本発明に用いられる足場部材の斜視図、図６は本発明に用いられる足場部材の底面斜視図である。前後フレーム１４の結合溝１２の間に結合される複数の足場部材１８はそれぞれ強化プラスチックから成形して規格化する。成形の際、両側端部には上方に露出される係合溝２８と下方に突出する係合片３０を形成して左右の足場部材１８間の係合溝２８及び係合片３０の係合によって連結されるようにし、また両側には係合溝２８及び係合片３０を避ける部位に、遮断板２０を連結固定するための結合孔３２を形成し、両側前後にはフレーム１４との連結のためのネジ孔３４を形成する。
【００１３】
ここで、各足場部材１８の両側には係合溝２８及び係合片３０を貫く連結孔を形成することで、左右の足場部材１８間の係合溝２８及び係合片３０による係合後、連結孔を貫くボルトにナットを締め付けて左右の足場部材１８をもっと堅く連結して固定することもできる。
【００１４】
図７は本発明に用いられる遮断板の斜視図である。遮断板２０は内側に結合溝を有するように鉄板を折り曲げて形成し、その結合溝に足場部材１８の外側端部を結合した後、ボルト３６及びナット３８で連結固定することにより、前後フック２２間の空間を遮断するように構成する。
【００１５】
一方、フック２２は結合孔及びロック片を有する結合部と連結部からなり、その連結部を前後フレーム１４の端部にボルト４０で連結して固定するように構成される。ここで、上部ボルト４０はフレーム１４を貫いて外側の足場部材１８のネジ孔３４に螺合することにより、フック２２をフレーム１４に固定するときに足場部材１８も一緒に固定するようにすることが好ましい。
【００１６】
したがって、本発明の建築用安全足場１０は、前後フレーム１４及び複数の連結具１６はアルミニウムからなり、かつ前後フレーム１４の間に結合される複数の足場部材１８は強化プラスチックからなるので、製品を軽量化することができるようになる。
【００１７】
特に、複数に分割構成される足場部材１８は、両端部に形成された係合溝２８及び係合片３０による係合によって前後フレーム１４の結合溝１２の間に結合固定され、また各連結部は前後フレーム１４を連結する各連結具１６が支えるので、撓みに非常に強くて使用時に撓みによる不安感を引き起こすおそれがなく、また落下物などによって足場部材１８に大きな衝撃が加わっても連結部が広がるか破損されるおそれがなくて安全事故を防止することができるようになる。
【００１８】
以上で説明したように、本発明の権利範囲は前述した実施例及び添付図面によって限定されるものではなく、本発明の技術的思想を逸脱しない範疇内でさまざまな置換、変形及び変更が可能であり、これは本発明が属する技術分野で通常の知識を有する者に自明なものである。
【符号の説明】
【００１９】
１０    建築用安全足場
１２    結合溝
１４    フレーム
１６    連結具
１８    足場部材
２０    遮断板
２２    フック
２４、３６、４０    ボルト
２６、３８    ナット
２８    係合溝
３０    係合片
３２    結合孔
３４    ネジ孔
【図１】
2020190171.tif 000003
【図２】
2020190171.tif 000004
【図３】
2020190171.tif 000005
【図４】
2020190171.tif 000006
【図５】
2020190171.tif 000007
【図６】
2020190171.tif 000008
【図７】
2020190171.tif 000009